(57)【要約】      （修正有）【課題】発光時間の制御可能なゴルフボールの構造を提供する。【解決手段】コロイダル状を呈する透光硬質内体により発光モジュールを封止し、そしてこの発光モジュールは、タイマーと、バッテリパック、振動スイッチングを含む。タイマーは、点灯時間が終了するまでに発光素子が点灯し続けることが出来る。バッテリパックは、第１のバッテリと第２のバッテリから構成される。振動スイッチングは、振動を受けた後に第１のバッテリがタイマーに対し送電するように用いられ、また第１のバッテリと第２のバッテリが発光素子に対し送電し始め、且つ点灯時間が終了するまで送電を継続する。【選択図】図４Ａ
0003117655.tif 000002
【実用新案登録請求の範囲】
【請求項１】
発光時間の制御可能なゴルフボールの構造であって、
コロイダル状を呈する透光硬質内体により発光モジュールを封止し、前記発光モジュールは少なくとも一つ以上の発光素子を制御するように用いられ、透光コロイダル中体により前記透光硬質内体を被覆し、球面透光外体により前記透光コロイダル中体を被覆し、
前記発光モジュールはタイマーと、バッテリパックと、振動スイッチングとを含み、
前記タイマーは、点灯時間が終了するまで前記発光素子が点灯し続けるように用いられ、
前記バッテリパックは、第１のバッテリと第２のバッテリを含み、前記第１のバッテリは前記タイマーに対し送電でき、前記第１のバッテリと前記第２のバッテリが前記発光素子に対し送電でき、
前記振動スイッチングは、振動を受けた後に前記第１のバッテリが前記タイマーに対して送電するように用いられ、
前記第１のバッテリと前記第２のバッテリは、前記タイマーが通電された後に前記発光素子に対して送電し始め、且つ前記点灯時間が終了するまで送電を継続することを特徴とする発光時間の制御可能なゴルフボールの構造。
【請求項２】
二つ以上の前記発光素子を有し、前記二つ以上の発光素子は、並列または直列に接続されることを特徴とする請求項１記載の発光時間の制御可能なゴルフボールの構造。
【請求項３】
前記発光モジュールは、スイッチング素子をさらに含み、前記スイッチング素子は前記タイマーと前記第２のバッテリとの間に設置され、且つそれぞれを電気的に接続することを特徴とする請求項１記載の発光時間の制御可能なゴルフボールの構造。
【請求項４】
発光時間の制御可能なゴルフボールの構造であって、
コロイダル状を呈する透光硬質内体により発光モジュールを封止し、前記発光モジュールは少なくとも一つ以上の発光素子を制御するように用いられ、透光コロイダル中体により前記透光硬質内体を被覆し、球面透光外体により前記透光コロイダル中体を被覆し、
前記発光モジュールはタイマーと、バッテリパックと、振動スイッチングとを含み、
前記タイマーは、点灯時間が終了するまで前記発光素子が点灯し続けるように用いられ、
前記バッテリパックは、第１のバッテリと第２のバッテリを含み、前記第１のバッテリと前記第２のバッテリは前記発光素子及び前記タイマーに対し送電でき、
前記振動スイッチングは、振動を受けた後に、前記第１のバッテリが前記タイマーに対して送電するように用いられ、
前記第１のバッテリと前記第２のバッテリは、前記タイマーが通電された後に前記発光素子に対して送電し始め、且つ前記点灯時間が終了するまで送電を継続することを特徴とする発光時間の制御可能なゴルフボールの構造。
【請求項５】
前記発光モジュールは、ホッピング制御チップをさらに含み、前記ホッピング制御チップは、前記発光素子に対し異なる波形を出力することにより当該前記発光素子が各種のフリッカー・ホッピングのダイナミック光影変化を生成するように用いられることを特徴とする請求項４記載の発光時間の制御可能なゴルフボールの構造。
【請求項６】
前記発光モジュールは、ホッピング制御チップをさらに含み、前記ホッピング制御チップは、前記発光素子に対し異なる周波数を出力することにより当該前記発光素子が異なる顔色の変化を生成するように用いられることを特徴とする請求項４記載の発光時間の制御可能なゴルフボールの構造。
【請求項７】
二つ以上の前記発光素子を有し、前記二つ以上の発光素子は、並列または直列に接続されることを特徴とする請求項４記載の発光時間の制御可能なゴルフボールの構造。
【考案の詳細な説明】
【技術分野】
【０００１】
本考案は、ゴルフボールの構造に関し、特に発光でき且つ発光時間を制御できるゴルフボールに関する。
【背景技術】
【０００２】
近年、ゴルフは国民の運動になりつつあり、特に激しい運動に不向きな人にとっては、ゴルフは絶好の選択肢である。しかしながら、ゴルフは、ゴルフボールを打った時にゴルフボールの飛んだ方向や落下のルートを追跡・観察する必要があり、小さなボールがどこに落ちたかが分かりにくいという問題があった。
【０００３】
この問題を解決するために、数多くの業者が、各種のゴルフボール、例えば蛍光ボールや発光素子を内蔵する球体が点灯する技術手段を、提案している。蛍光ボールというのは、ゴルフボールの外殻材質中に蛍光材料を加え、光線を吸収した後にこれが蛍光を発光するものを指す。発光素子を内蔵する球体とは、球体の内部に輝度のより明るい発光素子を設置するのを指す。
【０００４】
しかしながら、蛍光ボールは、使用上の各種の制限があるため次第に採用されなくなっており、また蛍光ボールは、蛍光自身の特性のため、発光するためには使用前にまず日光を吸収する必要があり、それでも依然として蛍光の輝度が不足するため、外が極めて暗い状況下でない限り、ゴルフボールの飛び出し・落下のルートを依然として簡単に追跡・観察することができなかった。特に長距離を打つ場合、ボールのルートを観察するのが困難であった。
【０００５】
発光素子を内蔵する球体は、輝度のより高いゴルフボールを提供できるが、従来のものはその発光素子に対する送電方式が好ましくなく、電力量を消耗し尽くす事態を招き、使用寿命が非常に短くなっていた。即ち、従来のこの種のゴルフボールは、打たれた後にその内蔵バッテリの電力量を消耗し尽くすまで発光し続けていた。バッテリの数を増やしてその使用寿命を向上させたものもあるが、その場合には、その二つのバッテリの間における送電設計の不良に起因して、バッテリの電力量を有効に利用できないという事態も生じていた。
【０００６】
従って、以上のように、従来の発光素子を内蔵する球体構造は、実際の使用上では著しく不便と欠点が存在しており、それらをより改善することが期待されている。
【０００７】
本考案者は前述の改善可能な欠点を感じ、特に鋭意研究し且つ学理の運用に対応するため、設計が合理で且つ有効に前述の欠点を改善する本考案を提出する。
【考案の開示】
【考案が解決しようとする課題】
【０００８】
本考案の主な目的は、発光時間の制御可能なゴルフボールの構造を提供することにあり、タイマーが発光素子の実際の点灯時間を制御することにより、発光素子が交替不可能なバッテリの電力量を絶えず消耗する事態をなくし、使用寿命を向上させる。
本考案の副次的な目的は、発光時間の制御可能なゴルフボールの構造を提供する際にバッテリパック中の一つのバッテリのみがタイマー（発光素子を制御するもの）に送電することでバッテリパックの消耗される電力量を大幅に低減し、その使用寿命を向上させる。
【０００９】
本考案の副次的な目的は、発光時間の制御可能なゴルフボールの構造を提供する際にホッピング制御チップを設けることにより発光素子が点灯する時に多彩な点灯モードを有し、ユーザーがゴルフボールの飛び出し・落下のルートをより簡単に追跡・観察できるようにする。
【課題を解決するための手段】
【００１０】
前述の目的を達成するために、本考案は発光時間の制御可能なゴルフボールの構造を提供し、それはコロイダル状を呈する透光硬質内体により発光モジュールを封止し、さらに透光コロイダル中体により透光硬質内体を被覆し、そして球面透光外体により透光コロイダル中体を被覆する。発光モジュールは少なくとも一つ以上の発光素子を制御でき、且つ発光モジュールは少なくともタイマーとバッテリパックと振動スイッチングとを含む。
【００１１】
前述のタイマーは主として、点灯時間が終了するまで発光素子を点灯し続けさせるもので、バッテリパックは第１のバッテリと第２のバッテリとを含む。第１のバッテリはタイマーに対して送電でき、そして第１のバッテリと第２のバッテリが発光素子に対し送電できる。そして、振動スイッチングは、振動を受けた後に第１のバッテリがタイマーに対して送電するように用いられ、また第１のバッテリと第２のバッテリとが発光素子に対して送電し始め、点灯時間が終了するまで送電を継続する。
【００１２】
本考案の特徴及び技術内容をより一層了解するために、以下に本考案に関する詳細な説明を添付の図面を参照しながら行うが、しかしながら、添付の図面はただ参考と説明用に供するものだけで、本考案をより限定するためのものではない。
【考案を実施するための最良の形態】
【００１３】
図１を参照すると、図１は本考案の既に封止された透光硬質内体の模式図である。図１に示すように、本考案の発光時間の制御可能なゴルフボールの構造においては、コロイダル状を呈する透光硬質内体１により発光モジュール２が封止され、且つ透光硬質内体１は全体位置を固定するように用いられる平衡穴１１を具する。
【００１４】
発光モジュール２は主として少なくとも一つ以上の発光素子（例えば図１に示すＬＥＤランプ２２、図２に示すＬＥＤランプ２６）を制御するように用いられ、且つ主として回路基板２１上におけるタイマー２３，振動スイッチング２４とバッテリパック２５により、ＬＥＤランプ２２，２６を制御する。
【００１５】
簡単に言えば、本考案の発光時間の制御可能なゴルフボールの構造は主としてゴルフボールが打たれた後に、タイマー２３により、予定の点灯時間に基づいて発光素子（ＬＥＤランプ２２，２６）の実際の点灯時間を制御し、発光素子が交替不可能なバッテリパック２５の電力量を絶えず消耗することをなくし、そしてその使用寿命を向上させる。以下に、どのようにして図１に示す本考案の既に封止された透光硬質内体１を封止し、完全なゴルフボールを構成するのかを説明し、またひいてはどのようにタイマー２３などの素子により使用寿命の向上を達成するのかを説明する。
【００１６】
図２を参照すると、図２は本考案の発光モジュールを内蔵する透光硬質内体の模式図である。図２に示すように、発光モジュール２において、図１中における回路基板２１，ＬＥＤランプ２２，タイマー２３，振動スイッチング２４とバッテリパック２５の以外に、バッテリパック２５が第１のバッテリ２５１，第２のバッテリ２５３，第１のバッテリ２５１と第２のバッテリ２５３との間に挟持された絶縁板２５２，第２のバッテリ２５３とＬＥＤランプ２６との間に挟持された絶縁板２５４をさらに含み、そしてＬＥＤランプ２６が絶縁板２５４上に設置されている。
【００１７】
完全にゴルフボールを封止し続けるために、発光モジュール２を透光硬質内体１に入れるまで待ってから、コロイドを透光硬質内体１の開口から注ぎ込み、そして発光モジュール２を封止して完成させる。
【００１８】
図３を参照すると、図３は本考案の発光時間の制御可能なゴルフボールの構造の模式図である。図３に示すように、本考案の発光時間の制御可能なゴルフボールの構造中において、透光硬質内体１の発光モジュール２の他に、透光コロイダル中体３により透光硬質内体１が被覆されており、外形は球状体である。また球面透光外体４により透光コロイダル中体３が被覆されており、これにより完全なゴルフボールが構成されている。
【００１９】
図４Ａ〜図４Ｃを参照すると、図４Ａ〜図４Ｃは本考案の発光モジュールの模式図である。図４Ｂに示すように、本考案の発光モジュール２は、主としてタイマー２３，バッテリパック２５（第１のバッテリ２５１と第２のバッテリ２５３），振動スイッチング２４，互いに直列したＬＥＤランプ２２，２６（発光素子），及びタイマー２３を保護するためのスイッチング素子２７を含む。バッテリパック２５中において、第１のバッテリ２５１がタイマー２３に対し送電でき、そして第１のバッテリ２５１と第２のバッテリ２５３が発光素子に対し送電できる。なお、図４Ｂに示すスイッチング素子２７はなくてもよく、その場合その回路構造は図４Ａに示すように簡略化できる。
【００２０】
ゴルフボールが打たれた後、振動スイッチング２４自身の特性により、振動を受けてから間もなくして第１のバッテリ２５１がタイマー２３に対し送電しはじめ、これによりタイマー２３が起動される。タイマー２３が起動されてから、点灯時間に基づいてカウントが始められる。その時、第１のバッテリ２５１と第２のバッテリ２５３がいずれも３Ｖの直流電流を提供できるボタン・バッテリである場合、タイマー２３を介して６Ｖの直列ループが形成され、第１のバッテリ２５１と第２のバッテリ２５３が発光素子に対し送電しはじめ、ＬＥＤランプ２２，２６が点灯しはじめる。点灯時間が終了するまで待つと、タイマー２３により、直列した第１のバッテリ２５１と第２のバッテリ２５３の発光素子に対する送電が途切れ、ＬＥＤランプ２２，２６が消灯する。振動スイッチング２４は従来の素子に属し、ここに積み重ねて述べることがないことに特に注意する必要がある。発光素子が二つ以上である場合、ＬＥＤランプ２２，２６は、図４Ａに示すように直列接続、または図４Ｃに示すように並列接続に接続することができる。
【００２１】
点灯時間の長さについては、実際の需要に準じて設定することができ、即ちゴルフボールが打たれて飛出し落下するまでに必要な時間に、ユーザーが地面に落下したゴルフボールを見つけるまでに必要な時間を加えて設定することができる。一般的に言えば１０分間に設定される。
【００２２】
上記を総合すると、本考案の発光時間の制御可能なゴルフボールの構造は、バッテリパック２５が直列メカニズムである場合に、単一のバッテリ（即ち第１のバッテリ２５１）のみが発光素子の点灯を制御するタイマー２３に送電するため、バッテリパック２５の消耗された電力量を低減し、その使用寿命を向上させることができる。さらに光線を発光するのは、輝度の高いＬＥＤランプ２２，２６であるため、輝度が時間により減衰することがなく、またこれにより、ユーザーが長距離を打った場合でも、ユーザーはゴルフボールの飛び出し，落下のルートを簡単に追跡・観察できる。
【００２３】
図５Ａ〜図５Ｄを参照すると、図５Ａ〜図５Ｄは本考案の発光モジュールの他の模式図である。図５Ａに示すように、本考案の発光モジュール５は、同様に発光モジュール２中におけるタイマー２３，バッテリパック５１，振動スイッチング２４，互いに直列したＬＥＤランプ２２，２６（発光素子）とスイッチング素子２７を含む。しかしながら、発光モジュール５は、回路接続方式に関してはやや発光モジュール２と異なっており、即ちバッテリパック５１中では、二つのバッテリが互いに直列し、且つ同時にタイマー２３と発光素子とに対し送電できる。
【００２４】
図５Ｂに示すように、本考案の発光モジュール５は、より多様化な点灯モードを有しひいてはユーザーがゴルフボールの飛び出し・落下のルートをより簡単に追跡・観察できるように、ホッピング制御チップ５２をさらに含むことができる。ホッピング制御チップ５２は各ＬＥＤランプ２２，２６と電気的に接続される関係にあり、従ってＬＥＤランプ２２，２６に対し送電が行われると、同時にホッピング制御チップ５２にも送電され起動される。
【００２５】
ホッピング制御チップ５２が起動されると、２種類の点灯モードを提供する。即ち発光素子に対し異なる波形を出力することにより、発光素子（例えばＬＥＤランプ２２，２６）が各種のフリッカー・ホッピングのダイナミック光影変化を生成する。或いは発光素子に対し異なる周波数を出力することにより、発光素子が異なる色の変化を生成する。
【００２６】
本考案の発光時間の制御可能なゴルフボールの構造の製造コストを低減するために、図５Ｂに示すホッピング制御チップ５２とタイマー２３を図５Ｃに示す単一のチップに整合することができる。図５Ｃでは、ホッピング制御チップ５２とタイマー２３とが単一のチップに整合されているが、依然として対応する素子と電気的に接続される関係にある。さらに、より多い発光素子をホッピング制御チップ５２により制御することができ、即ち図５Ｄに示すように、余分に接続されたＬＥＤランプ５４a，５４b，５４cを制御するようにしてもよい。
【００２７】
以上の叙述は、本考案のより好ましい実行可能な実施例のみで、これにより本考案の登録請求の範囲を限定するわけではなく、従って例えば本考案の明細書と図式内容を運用してなる等価な構造変化は、いずれも本考案の範疇内に同理に含まれるべきである。
【図面の簡単な説明】
【００２８】
【図１】本考案の既に封止された透光硬質内体の模式図である。
【図２】本考案の発光モジュールを内蔵する透光硬質内体の模式図である。
【図３】本考案の発光時間の制御可能なゴルフボールの構造の模式図である。
【図４Ａ】本考案の発光モジュールの模式図である。
【図４Ｂ】本考案の発光モジュールの模式図である。
【図４Ｃ】本考案の発光モジュールの模式図である。
【図５Ａ】本考案の発光モジュールの他の模式図である。
【図５Ｂ】本考案の発光モジュールの他の模式図である。
【図５Ｃ】本考案の発光モジュールの他の模式図である。
【図５Ｄ】本考案の発光モジュールの他の模式図である。
【符号の説明】
【００２９】
１  透光硬質内体    
２，５  発光モジュール    
３  透光コロイダル中体
４  球面透光外体
１１  平衡穴
２１  回路基板
２２，２６  ＬＥＤランプ
２３  タイマー
２４  振動スイッチング
２５，５１  バッテリパック
２７  スイッチング素子
５２  ホッピング制御チップ
２５１  第１のバッテリ
２５２，２５４  絶縁板
２５３  第２のバッテリ
【図１】
0003117655.tif 000003
【図２】
0003117655.tif 000004
【図３】
0003117655.tif 000005
【図４Ａ】
0003117655.tif 000006
【図４Ｂ】
0003117655.tif 000007
【図４Ｃ】
0003117655.tif 000008
【図５Ａ】
0003117655.tif 000009
【図５Ｂ】
0003117655.tif 000010
【図５Ｃ】
0003117655.tif 000011
【図５Ｄ】
0003117655.tif 000012